(57)【要約】【課題】蓄電池が機能しない低温環境に周辺環境が既になっている場合においても能動的に蓄電池を使用することができる蓄電装置を提供する。【解決手段】蓄電装置１００は、蓄電池４０、ヒータ９０、および温度制御部６０を備えている。ヒータ９０は、蓄電池４０の周辺の空間を加熱する。空間温度センサ９５Ａ，９５Ｂは、蓄電池４０とは異なる電源であって蓄電池４０の機能が停止する温度よりも低い温度で機能するヒータ用電源１０００の電力によって駆動されることにより、蓄電池４０の温度を検出する。温度制御部６０は、空間温度センサ９５Ａ，９５Ｂにより検出された蓄電池４０の温度が、所定の温度以下の温度になった場合には、蓄電池４０の周辺の空間を加熱するようにヒータ９０を制御する。【選択図】図２１
2018073535.tif 000002
【特許請求の範囲】
【請求項１】
蓄電池と、
前記蓄電池の周辺の空間を加熱するヒータと、
前記蓄電池とは異なる電源であって前記蓄電池の機能が停止する温度よりも低い温度で機能するヒータ用電源の電力によって駆動されることにより、前記蓄電池の温度を検出する温度センサと、
前記温度センサにより検出された前記蓄電池の温度が、所定の温度以下の温度になった場合には、前記蓄電池の周辺の空間を加熱するように前記ヒータを制御する制御部と、を備えた、蓄電装置。
【請求項２】
前記所定の温度は、前記蓄電池が機能停止する温度よりも高い温度である、請求項１に記載の蓄電装置。
【請求項３】
前記蓄電池は、互いに隣接して設置された複数の蓄電池パックを含み、
前記温度センサは、前記複数の蓄電池パック同士の間に設けられた、請求項１または２に記載の蓄電装置。
【請求項４】
前記蓄電池、前記ヒータ、前記温度センサ、および前記制御部を収納し、空気が流入する吸気口と空気が流出する排気口とを有するケースと、
前記吸気口を開閉する吸気口開閉器と、
前記排気口を開閉する排気口開閉器と、を備え、
前記制御部は、前記蓄電池の周辺の空間を加熱するように前記ヒータを制御しているときには、前記吸気口開閉器および前記排気口開閉器の双方を閉じる、請求項１〜３のいずれかに記載の蓄電装置。
【請求項５】
前記ケースの下部に吸気口が設けられており、
前記ケースの上部に排気口が設けられており、
前記ケース内へ流れ込んだ空気は、前記ケース内を下方から上方へ流れるように構成されており、
前記ヒータは、前記蓄電池の下側に設けられた、請求項１〜３のいずれかに記載の蓄電装置。
【請求項６】
前記温度センサとは別に、前記蓄電池の内部に設けられ、前記蓄電池の電力により駆動され、前記蓄電池の温度を検出する内部温度センサをさらに備え、
前記制御部は、前記内部温度センサにより検出された前記蓄電池の温度が、特定の温度以下の温度になった場合には、前記蓄電池の周辺の空間を加熱するように前記ヒータを制御する、請求項１〜５のいずれかに記載の蓄電装置。
【請求項７】
前記蓄電池がリチウムイオン電池であり、
前記ヒータ用電源が、ニッケル水素電池、鉛蓄電池、または系統電力の電源である、請求項１〜６のいずれかに記載の蓄電装置。
【発明の詳細な説明】
【技術分野】
【０００１】
本発明は、充電および放電をすることができる蓄電装置に関するものである。
【背景技術】
【０００２】
従来から、系統電力や太陽光発電装置から供給される電力を充電し、その電力を様々な電気機器へ供給する蓄電装置の開発が進められている。この蓄電装置が屋外に設置される場合には、蓄電装置に内蔵されている蓄電池は、周辺環境の温度変化の悪影響を受け易い。そのため、蓄電池の周辺の温度管理が重要である。たとえば、蓄電池としてリチウムイオン電池を用いる場合には、蓄電池の周辺の温度がある温度以下まで低下すると、蓄電池が機能しなくなる。したがって、蓄電池を機能する状態へ回復させるためには、蓄電池の周辺の温度を上昇させるヒータを蓄電装置に設けている（特許文献1参照）。
【先行技術文献】
【特許文献】
【０００３】
【特許文献１】特開２０１５−１５９１１５号公報  従来においては、蓄電装置において、蓄電池の周辺の温度を上昇させるためのヒータおよび蓄電池の温度を検出する温度センサの電力は、蓄電池から得られている。そのため、蓄電池が機能しないような低温に蓄電装置の周辺環境が既になっている場合には、温度センサおよびヒータを駆動させることができない。その結果、蓄電池を機能する状態へ能動的に回復させることができない。この場合、蓄電装置の周辺の気温が自然に上昇することにより、蓄電池の機能が受動的に回復するまで待つことになる。したがって、従来の蓄電装置は、蓄電池が機能しない低温環境の下で使用することができない。
【発明の概要】
【発明が解決しようとする課題】
【０００４】
本発明は、このような従来技術の有する課題に鑑みてなされたものである。そして、本発明の目的は、蓄電池が機能しない低温環境に周辺環境が既になっている場合においても能動的に蓄電池を使用することができる蓄電装置を提供することである。
【課題を解決するための手段】
【０００５】
上記課題を解決するために、本発明の態様に係る蓄電装置は、蓄電池と、前記蓄電池の周辺の空間を加熱するヒータと、前記蓄電池とは異なる電源であって前記蓄電池の機能が停止する温度よりも低い温度で機能するヒータ用電源の電力によって駆動されることにより、前記蓄電池の温度を検出する温度センサと、前記温度センサにより検出された前記蓄電池の温度が、所定の温度以下の温度になった場合には、前記蓄電池の周辺の空間を加熱するように前記ヒータを制御する制御部と、を備える。
【発明の効果】
【０００６】
本発明によれば、蓄電池が機能しない低温環境に周辺環境が既になっている場合においても能動的に蓄電池を使用することができる。
【図面の簡単な説明】
【０００７】
【図１】本発明の実施の形態の蓄電装置の正面図である。
【図２】本発明の実施の形態の蓄電装置の側面図である。
【図３】本発明の実施の形態の蓄電装置の上面図である。
【図４】本発明の実施の形態の蓄電装置の外側ケースの外側ケースカバーを外した状態の正面図である。
【図５】本発明の実施の形態の蓄電装置の外側ケースカバーおよび内側ケースカバーの双方が取り外された状態の正面図である。
【図６】本発明の実施の形態の蓄電装置の図５に示される構造のＶＩ−ＶＩ線断面図である。
【図７】本発明の実施の形態の蓄電装置の外側ケースカバーが取り外された状態の外側ケースの内側の面を示す図である。
【図８】本発明の実施の形態の蓄電装置の図７に示される構造のＶＩＩＩ−ＶＩＩＩ線断面図である。
【図９】本発明の実施の形態の蓄電装置の外側ケースの下面図である。
【図１０】本発明の実施の形態の蓄電装置の図７に示される構造のＸ−Ｘ線断面図である。
【図１１】本発明の実施の形態の蓄電装置の図７に示される構造のＸＩ−ＸＩ線断面図である。
【図１２】本発明の実施の形態の蓄電装置の図７に示される構造のＸＩＩ−ＸＩＩ線断面図である。
【図１３】本発明の実施の形態の蓄電装置の内側ケースの上面図である。
【図１４】本発明の実施の形態の蓄電装置の内側ケースの側面図である。
【図１５】本発明の実施の形態の蓄電装置の内側ケースの下面図である。
【図１６】本発明の実施の形態の蓄電装置の内側ケースカバーが取り外された状態の内側ケースの内側の面を示す図である。
【図１７】本発明の実施の形態の蓄電装置の図１６に示される構造のＸＶＩＩ−ＸＶＩＩ線断面図である。
【図１８】本発明の実施の形態の蓄電装置の土台の上面図である。
【図１９】本発明の実施の形態の蓄電装置の土台の正面図である。
【図２０】本発明の実施の形態の蓄電装置の土台の側面図である。
【図２１】本発明の実施の形態の蓄電装置の制御部とそれに接続された機器との関係を説明するための図である。
【発明を実施するための形態】
【０００８】
以下、図面を参照しながら、実施の形態の蓄電池装置を説明する。各図面においては、同一の参照符号が同一の部分に付されている。同一の参照符号が付された同一の部分の説明は、特に必要がなければ、各図において繰り返されない。
【０００９】
図１〜図６を用いて、実施の形態の蓄電装置１００の全体構成を説明する。
【００１０】
図１〜図３に示されるように、実施の形態の蓄電装置１００は、直方体形状の外側ケース１０と、外側ケース１０を支持する直方体形状の土台２０とを備えている。外側ケース１０は、外側ケース１０の正面、上面、下面、左側面、および右側面を構成する外側ケース本体１２と、外側ケース１０の正面を構成する外側ケースカバー１１とを備えている。
【００１１】
外側ケースカバー１１は、外側ケース本体１２の正面側の開口を覆うように外側ケース本体１２に取り付けられ、外側ケース本体１２から取り外し可能な板形状を有している。土台２０は、直方体の外形を有している土台本体２２と、土台本体２２の正面に取り付けられ、土台本体２２の正面から取り外し可能な板状の土台カバー２１とを有している。蓄電装置１００は、その背面が外壁の外面に対向するように、かつ、その正面が外壁の外側面が向く側と同じ側を向くように設置される。
【００１２】
図４に示されるように、外側ケース本体１２内には、内側ケース３０が設けられている。内側ケース３０は、内側ケース本体３２と内側ケース本体３２の正面側の開口を覆うように内側ケース本体３２に取り付けられ、内側ケース本体３２から取り外し可能な内側ケースカバー３１とを有している。
【００１３】
図５および図６に示されるように、内側ケース本体３２は、隙間をおいて互いに平行に並べられた板状の蓄電池パック４０Ａ，４０Ｂからなる蓄電池４０を内包する。内側ケース本体３２は、下面に空気が流入する内側吸気口３０Ａを有し、背面に空気が流出する内側排気口３０Ｂを有する。外側ケース本体１２は、内側ケース本体３２を内包する。外側ケース本体１２は、内側吸気口３０Ａに連通し、空気が流入する外側吸気口１０Ｂ、および、内側排気口３０Ｂに連通し、空気が流出する外側排気口１０Ｃを有する。そのため、気流が外側吸気口１０Ｂ、内側吸気口３０Ａ、内側ケース３０内の空間、内側排気口３０Ｂ、および外側排気口１０Ｃを経由して流れる。したがって、蓄電池４０が自身の発熱によって限度を超えて高温になることを抑制することができる。
【００１４】
本実施の形態においては、外側ケース１０と内側ケース３０との２つのケースが存在する。そのため、太陽光に起因した蓄電池４０の温度上昇を抑制することができる。その結果、蓄電池４０の周辺の空間の温度が高すぎたり低すぎたりすることに起因して蓄電池４０の動作に支障が生じることを抑制することができる。
【００１５】
図５から分かるように、蓄電装置１００は、制御部５６、空間温度センサ９５（９５Ａ，９５Ｂ）、および送風機８０（８０Ａ，８０Ｂ）を備えている。制御部５６は、内側ケース３０内に設けられ、蓄電池４０の充放電を制御する。空間温度センサ９５（９５Ａ，９５Ｂ）は、蓄電池パック４０Ａと蓄電池パック４０Ｂとの間の隙間に設けられており、直接的には、内側ケース３０内の空間の温度を検出するが、それによって、蓄電池４０の温度を間接的に検出する。
【００１６】
送風機８０（８０Ａ，８０Ｂ）が内側ケース３０内に設けられている。送風機８０は、制御部５６によって制御されることにより蓄電池４０および制御部５６の周辺に気流を生じさせる。具体的には、制御部５６は、空間温度センサ９５（９５Ａ，９５Ｂ）により検出された内側ケース３０内の空間の温度情報に基づいて、内側ケース３０内の空間の温度が所定の温度以上にならないように、送風機８０（８０Ａ，８０Ｂ）を制御している。
【００１７】
蓄電池４０は、互いの間に気流が生じる隙間を置いて並べられた複数の板状の蓄電池パック４０Ａ，４０Ｂからなる。そのため、換気による蓄電池４０の全体の温度の低減の効果を高めることができる。
【００１８】
図５および図６から分かるように、蓄電装置１００は、内側ケース３０の内側吸気口３０Ａを開閉する吸気口開閉器７０Ａと、内側ケース３０の内側排気口３０Ｂを開閉する排気口開閉器７０Ｂと、を備えている。制御部５６は、送風機８０（８０Ａ，８０Ｂ）が駆動されている場合には、吸気口開閉器７０Ａおよび排気口開閉器７０Ｂの双方を開状態に変化させる。そのため、蓄電池４０の温度を蓄電池４０が適切に動作できる範囲内の値に維持することができる。
【００１９】
また、図５および図６に示されるように、内側吸気口３０Ａは、内側ケース３０の蓄電池４０よりも下側の位置に設けられており、内側排気口３０Ｂは、内側ケース３０の蓄電池４０よりに上側の位置に設けられている。そのため、蓄電池４０の周辺においては、下方から上方へ流れる気流が生じる。その結果、水が蓄電池４０まで到達するおそれを低減することができる。
【００２０】
土台２０の底面、すなわち、蓄電装置１００と地面とが接する面には、通気用の開口が設けられている。そのため、空気は、外部空間から土台２０の側面と地面との間の隙間および土台２０の底面の開口、具体的には、土台吸気口２０Ｆ（図１８参照）を経由して土台２０内の吸気空間２０Ａへ流れ込む。その後、空気は、土台２０内の吸気空間２０Ａから外側吸気口１０Ｂおよび内側吸気口３０Ａをこの順番で経由して、内側ケース３０内へ流れ込む。さらに、空気は、内側ケース３０内の空間を下方から上方へ流れる。その後、空気は、内側排気口３０Ｂから内側ケース３０と外側ケース１０との間の隙間空間１０Ａ（図６参照）へ流れ込む。また、空気は、図７に矢印で示されるように、隙間空間１０Ａにおいて上方から下方へ流れる。その後、空気は、外側排気口１０Ｃから土台２０内の排気空間２０Ｂへ排出される。さらに、空気は、排気空間２０Ｂから土台２０の底面の開口、具体的には、土台排気口２０Ｇ（図１８参照）および土台２０の側面と地面との間の隙間を経由して外部空間へ排出される。
【００２１】
図５に示されるように、土台本体２２から土台カバー２１が取り外された状態では、土台２０の正面には２つの開口２０Ｘおよび２０Ｙが外部空間に面するが、これらの２つの開口２０Ｘおよび２０Ｙは、蓄電装置１００を設置する場合の作業用の開口である。
【００２２】
図６から分かるように、内側ケース本体３２の下面には、内側ケース３０内に電気配線を導くための貫通孔３０Ｄが設けられている。
【００２３】
図６、図８、図１０〜図１２から分かるように、蓄電装置１００は、内側ケース３０と外側ケース１０との間に設けられた断熱材Ｘをさらに備えている。具体的には、内側ケース本体３２と外側ケース本体１２との間に断熱材Ｘが設けられている。断熱材Ｘは、６面体構造の内側ケース３０の６面のそれぞれを覆っている。そのため、太陽光に対する断熱効果が高められている。
【００２４】
図９から分かるように、外側ケース本体１２の下面には、外側ケース１０内に電気配線を導くための貫通孔１０Ｄが設けられている。
【００２５】
図６と図９とを対比すれば分かるように、内側ケース本体３２に設けられている内側吸気口３０Ａと外側ケース本体１２に設けられている外側吸気口１０Ｂとは、平面視において、互いにずれた位置に設けられている。したがって、空気は、内側ケース本体３２と外側ケース本体１２との間の隙間を流れることにより、外側吸気口１０Ｂから内側吸気口３０Ａまで流れる。
【００２６】
図１３および図１４から分かるように、内側ケース３０は、直方体形状を有している。
【００２７】
図１５〜図１７から分かるように、内側ケース３０には、内側吸気口３０Ａと内側排気口３０Ｂとが設けられている。
【００２８】
図１６に示されるように、内側排気口３０Ｂには、空気を通過させるが、水を通過させないフィルタ３３が設けられている。また、図１７に示されるように、内側吸気口３０Ａには、空気を通過させるが、水を通過させないフィルタ３４が設けられている。したがって、内側ケース３０への水の侵入を抑制することができる。そのため、蓄電池４０まで水が到達することを抑制することができる。
【００２９】
図１５および図１７から分かるように、貫通孔３０Ｄが内側ケース３０の底面に設けられている。貫通孔３０Ｄには配線管（図示せず）が挿入されている。ただし、貫通孔３０Ｄと配線管（図示せず）の間の隙間は、パテで埋められるため、空気は、実質的には、貫通孔３０Ｄを経由して流れない。
【００３０】
図１８〜図２０に示されるように、外側ケース１０の下側に、内部に間仕切り２３によって互いに分離された吸気空間２０Ａおよび排気空間２０Ｂを有する土台２０が設けられている。土台２０の上面には、連通排気口２０Ｃ、連通吸気口２０Ｅ、および開口２０Ｄが設けられている。土台２０の底面には、土台吸気口２０Ｆおよび土台排気口２０Ｇが設けられている。土台２０は、土台吸気口２０Ｆ、連通排気口２０Ｃ、連通吸気口２０Ｅ、および土台排気口２０Ｇを有している。土台吸気口２０Ｆは、空気を外部空間から吸気空間２０Ａへ流入させるためのものである。連通排気口２０Ｃは、空気を土台２０内の吸気空間２０Ａから内側ケース３０内の空間へ流出させるためのものである。連通吸気口２０Ｅは、空気を内側ケース３０内の隙間空間１０Ａ（図６および図７参照）から土台２０内の排気空間２０Ｂへ流入させるためのものである。土台排気口２０Ｇは、空気を排気空間２０Ｂから外部空間へ流出させるためのものである。
【００３１】
なお、土台カバー２１は、内側ケース３０内の空間の温度を下げるために換気を必要とする夏等においては、取り外される。一方、土台カバー２１は、内側ケース３０内の空間の温度が下がらないように維持する必要がある冬等においては、土台本体２２に取り付けられる。
【００３２】
土台排気口２０Ｇは、空気を土台２０内の排気空間２０Ｂから外部空間へ流出させるためのものである。開口２０Ｄは、配線等を通過させるためのものである。
【００３３】
外側ケース１０の外側吸気口１０Ｂは、連通排気口２０Ｃ、土台２０内の吸気空間２０Ａ、および土台吸気口２０Ｆを経由して、外部空間と連通している。外側ケース１０の外側排気口１０Ｃは、連通吸気口２０Ｅ、土台２０内の排気空間２０Ｂ、および土台排気口２０Ｇを経由して、外部空間と連通している。本実施の形態の蓄電装置１００においては、前述のように、吸気および排気のための蓄電装置１００の内部空間と外部空間との連通路が、土台２０に、より具体的には土台２０の底面に設けられている。そのため、吸気および排気に起因して内側ケース３０内の蓄電池４０まで水が到達するおそれがさらに低減される。
【００３４】
図２１に示される回路構成図から分かるように、蓄電装置１００は、蓄電池４０、ヒータ９０、温度制御部６０、および蓄電池制御部５０を備えている。蓄電池制御部５０は、蓄電池４０の動作を制御する。ヒータ９０は、蓄電池４０の周辺の空間を加熱する。空間温度センサ９５（９５Ａ，９５Ｂ）は、蓄電池４０とは異なる電源であって蓄電池４０の機能が停止する温度よりも低い温度で機能するヒータ用電源１０００の電力によって駆動されることにより、蓄電池４０の温度を検出する。
【００３５】
温度制御部６０は、空間温度センサ９５（９５Ａ，９５Ｂ）により検出された蓄電池４０の温度が、所定の温度以下の温度になった場合には、蓄電池４０の周辺の空間を加熱するようにヒータ９０を制御する。そのため、蓄電池４０の機能が停止するような低温度環境下においても、蓄電池４０をヒータ９０で加熱して機能停止状態から通常状態へ回復させることができる。
【００３６】
前述の所定の温度は、本実施の形態においては、蓄電池４０が機能停止する温度よりも高い温度であるものとする。そのため、蓄電池４０の温度を蓄電池４０が機能することが可能な温度に維持することができる。その結果、蓄電池４０の機能停止が生じることを抑制することができる。ただし、前述の所定の温度は、蓄電池４０が一旦停止してもよい状況で使用するのであれば、蓄電池４０が機能停止する温度よりも若干低い温度であってもよい。
【００３７】
蓄電池４０は、前述のように、互いに隣接して設置された複数の板状の蓄電池パック４０Ａ，４０Ｂを含んでいる。空間温度センサ９５Ａ，９５Ｂは、複数の板状の蓄電池パック４０Ａ，４０Ｂ同士の間に設けられている。そのため、蓄電池４０の温度に近い温度を測定することができる。
【００３８】
実施の形態の内側ケース３０は、前述のように、吸気口開閉器７０Ａおよび排気口開閉器７０Ｂが設けられている。内側ケース３０は、前述のように、蓄電池４０、ヒータ９０、空間温度センサ９５（９５Ａ，９５Ｂ）、および温度制御部６０を収納している。内側ケース３０は、前述のように、空気が流入する内側吸気口３０Ａと、空気が流出する内側排気口３０Ｂとを有している。吸気口開閉器７０Ａは、温度制御部６０に制御されることにより、内側ケース３０の内側吸気口３０Ａを開閉する機構である。排気口開閉器７０Ｂは、温度制御部６０に制御されることにより、内側ケース３０の内側排気口３０Ｂを開閉する機構である。
【００３９】
温度制御部６０は、蓄電池４０の周辺の空間を加熱するようにヒータ９０を制御しているときには、吸気口開閉器７０Ａおよび排気口開閉器７０Ｂの双方を閉じる。そのため、内側吸気口３０Ａおよび内側排気口３０Ｂにより蓄電池４０の周辺の空間の温度がある温度より高い場合に暖気を排出することができる。一方、蓄電池４０の周辺の空間の温度がある温度より低い場合には、ヒータ９０による蓄電池４０の周辺の空間の温度を急速に上昇させることができる。
【００４０】
前述のように、内側ケース３０の下部に内側吸気口３０Ａが設けられており、内側ケース３０の上部に内側排気口３０Ｂが設けられている。そのため、内側ケース３０内へ流れ込んだ空気は、内側ケース３０内を下方から上方へ流れる。ヒータ９０は、蓄電池４０の下側に設けられている。したがって、ヒータ９０によって生成された暖気を効率的に蓄電池４０の周辺まで到達させることができる。
【００４１】
図２１に示されるように、蓄電装置１００は、空間温度センサ９５（９５Ａ，９５Ｂ）とは別に、蓄電池４０の内部に設けられ、蓄電池４０の電力により駆動され、蓄電池４０の温度を検出する内部温度センサ４０ＡＴ，４０ＢＴを備えている。また、蓄電池制御部５０は、内部温度センサ４０ＡＴ，４０ＢＴが検出した蓄電池の温度情報を温度制御部６０へ送信する。
【００４２】
温度制御部６０は、内部温度センサ４０ＡＴ，４０ＢＴにより検出された蓄電池４０の温度が、特定の温度以下の温度になった場合には、蓄電池４０の周辺の空間を加熱するようにヒータ９０を制御する。そのため、内部温度センサ４０ＡＴ，４０ＢＴにより、蓄電池４０の温度を正確に把握して、ヒータ９０を制御できる。一方、蓄電池４０の機能が停止することに起因して内部温度センサ４０ＡＴ，４０ＢＴが機能しないような低温の場合には、上述の空間温度センサ９５（９５Ａ，９５Ｂ）を用いてヒータ９０を制御することができる。
【００４３】
なお、蓄電池４０がリチウムイオン電池であり、ヒータ用電源１０００が、ニッケル水素電池、鉛蓄電池、または系統電力の電源等であってもよい。つまり、比較的高い温度で機能が停止し易いリチウムイオン電池を蓄電池４０として用いていても、ヒータ用電源１０００として他の電源が利用され得る。
【００４４】
以下、実施の形態の蓄電装置１００の特徴的構成およびそれにより得られる効果を説明する。
【００４５】
（１）  蓄電装置１００は、蓄電池４０、ヒータ９０、および制御部（温度制御部６０）を備えている。ヒータ９０は、蓄電池４０の周辺の空間を加熱する。温度センサ（空間温度センサ９５Ａ，９５Ｂ）は、蓄電池４０とは異なる電源であって蓄電池４０の機能が停止する温度よりも低い温度で機能するヒータ用電源１０００の電力によって駆動されることにより、蓄電池４０の温度を検出する。制御部（温度制御部６０）は、温度センサ（空間温度センサ９５Ａ，９５Ｂ）により検出された蓄電池４０の温度が、所定の温度以下の温度になった場合には、蓄電池４０の周辺の空間を加熱するようにヒータ９０を制御する。これによれば、蓄電池４０の機能が停止するような低温度環境下においても、蓄電池４０をヒータ９０で加熱して機能停止状態から回復させることができる。
【００４６】
（２）  所定の温度は、蓄電池４０が機能停止する温度よりも高い温度であってもよい。これによれば、蓄電池４０の温度を蓄電池４０が機能することが可能な温度に維持することができる。そのため、蓄電池４０の機能停止が生じない。
【００４７】
（３）  蓄電池４０は、互いに隣接して設置された複数の蓄電池パック４０Ａ，４０Ｂを含み、温度センサ（空間温度センサ９５Ａ，９５Ｂ）は、複数の蓄電池パック４０Ａ，４０Ｂ同士の間に設けられていてもよい。これによれば、蓄電池４０の温度に近い温度を測定することができる。
【００４８】
（４）  ケース（内側ケース３０）は、吸気口開閉器７０Ａ、および排気口開閉器７０Ｂを備えていてもよい。ケース（内側ケース３０）は、蓄電池４０、ヒータ９０、温度センサ（空間温度センサ９５Ａ，９５Ｂ）、および制御部（温度制御部６０）を収納し、空気が流入する吸気口（内側吸気口３０Ａ）と空気が流出する排気口（内側排気口３０Ｂ）とを有していてもよい。吸気口開閉器７０Ａは、吸気口（内側吸気口３０Ａ）を開閉する。排気口開閉器７０Ｂは、排気口（内側排気口３０Ｂ）を開閉する。制御部（温度制御部６０）は、蓄電池４０の周辺の空間を加熱するようにヒータ９０を制御しているときには、吸気口開閉器７０Ａおよび排気口開閉器７０Ｂの双方を閉じることが好ましい。これによれば、吸気口（内側吸気口３０Ａ）および排気口（内側排気口３０Ｂ）により蓄電池４０の周辺の空間の温度が高すぎる場合に暖気を排出することができる一方で、蓄電池４０の周辺の空間の温度が低すぎる場合には、ヒータ９０による蓄電池４０の周辺の空間の温度を急速に上昇させることができる。
【００４９】
（５）  ケース（内側ケース３０）の下部に吸気口（内側吸気口３０Ａ）が設けられており、ケース（内側ケース３０）の上部に排気口（内側排気口３０Ｂ）が設けられていてもよい。この場合、ケース（内側ケース３０）内へ流れ込んだ空気は、ケース（内側ケース３０）内を下方から上方へ流れるように構成されている。ヒータ９０は、蓄電池４０の下側に設けられていることが好ましい。
【００５０】
上記の構成によれば、ヒータ９０によって生成された暖気を効率的に蓄電池４０の周辺まで到達させることができる。
【００５１】
（６）  蓄電装置１００は、温度センサ（空間温度センサ９５Ａ，９５Ｂ）とは別に、蓄電池４０の内部に設けられ、蓄電池４０の電力により駆動され、蓄電池４０の温度を検出する内部温度センサ４０ＡＴ，４０ＢＴをさらに備えていてもよい。制御部（温度制御部６０）は、内部温度センサ４０ＡＴ，４０ＢＴにより検出された蓄電池４０の温度が、特定の温度以下の温度になった場合には、蓄電池４０の周辺の空間を加熱するようにヒータ９０を制御することが好ましい。これによれば、内部温度センサ４０ＡＴ，４０ＢＴにより、蓄電池４０の温度を正確に把握して、ヒータ９０を制御できる一方で、蓄電池４０の機能が停止するような低温の場合には、上述の温度センサ（空間温度センサ９５Ａ，９５Ｂ）を用いてヒータ９０を制御することができる。
【００５２】
（７）  蓄電池４０がリチウムイオン電池であり、ヒータ用電源１０００が、ニッケル水素電池、鉛蓄電池４０、または系統電力の電源であってもよい。比較的高い温度で機能が停止し易いリチウムイオン電池を蓄電池４０として用いていても、ヒータ用電源１０００として他の電源が利用され得る。
【符号の説明】
【００５３】
３０  内側ケース（ケース）
３０Ａ  内側吸気口（吸気口）
３０Ｂ  内側排気口（排気口）
４０  蓄電池
４０Ａ，４０Ｂ  蓄電池パック
６０  温度制御部（制御部）
７０Ａ  吸気口開閉器
７０Ｂ  排気口開閉器
９０  ヒータ
９５Ａ，９５Ｂ  空間温度センサ（温度センサ）
１００  蓄電装置
１０００  ヒータ用電源
【図１】
2018073535.tif 000003
【図２】
2018073535.tif 000004
【図３】
2018073535.tif 000005
【図４】
2018073535.tif 000006
【図５】
2018073535.tif 000007
【図６】
2018073535.tif 000008
【図７】
2018073535.tif 000009
【図８】
2018073535.tif 000010
【図９】
2018073535.tif 000011
【図１０】
2018073535.tif 000012
【図１１】
2018073535.tif 000013
【図１２】
2018073535.tif 000014
【図１３】
2018073535.tif 000015
【図１４】
2018073535.tif 000016
【図１５】
2018073535.tif 000017
【図１６】
2018073535.tif 000018
【図１７】
2018073535.tif 000019
【図１８】
2018073535.tif 000020
【図１９】
2018073535.tif 000021
【図２０】
2018073535.tif 000022
【図２１】
2018073535.tif 000023